(57)【要約】【課題】悪質な手口となった盗み撮りを防止する盗撮防止機能を備えた撮影装置を提供する。【解決手段】撮影制限を指示する情報を無線で所定の地域全体に送信することができるような撮影制限情報送信装置２を所定の地域のいずれか一箇所に設ける。その所定の地域内で撮影装置１を構えて撮影を行なおうとしているときに、上記撮影制限情報送信装置２から送信されてきた撮影制限情報を撮影装置内の受信機１７で受信しかつ姿勢センサ１６により撮影装置１の姿勢が上向き姿勢であることを受けて撮影装置１内の撮影制御部１０はこの撮影装置１での撮影を制限する。【選択図】  図１
2006191380.tif 000002
【特許請求の範囲】
【請求項１】
撮影操作に応じて被写体の写真撮影を行なう撮影装置において、
撮影制限を指示する情報を無線で受信する受信機と、
この撮影装置の姿勢を検出する姿勢センサと、
前記受信機により前記情報が受信されかつ前記姿勢センサにより所定の姿勢が検出された撮影制限条件を満足したことを受けて撮影を制限する撮影制御部と備えたことを特徴とする撮影装置。
【請求項２】
撮影操作に応じて被写体の写真撮影を行なう撮影装置において、
撮影制限を指示する情報を無線で受信する受信機と、
被写界の明るさを検出する測光センサと、
前記受信機により前記情報が受信されかつ前記測光センサにより所定の明るさ以下の明るさが検出された撮影制限条件を満足したことを受けて、撮影を制限する撮影制御部と備えたことを特徴とする撮影装置。
【請求項３】
撮影操作に応じて被写体の写真撮影を行なう撮影装置において、
撮影制限を指示する情報を無線で受信する受信機と、
被写界の明るさを検出する第１の測光センサと、
この撮影装置が置かれた環境の明るさを検出する第２の測光センサと、
前記受信機により前記情報が受信されかつ前記第１の測光センサで所定の第１の明るさ以上の明るさが検出され、さらに前記第２の測光センサで所定の第２の明るさ以下の明るさが検出された撮影制限条件を満足したことを受けて、撮影を制限する撮影制御部と備えたことを特徴とする撮影装置。
【請求項４】
撮影操作に応じて被写体の写真撮影を行なう撮影装置において、
撮影制限を指示する情報を無線で受信する受信機と、
焦点距離可変な撮影レンズと、
前記撮影レンズを駆動して該撮影レンズの焦点距離を調整するレンズ駆動部と、
前記受信機により前記情報が受信された場合に前記レンズ駆動部による前記撮影レンズの焦点距離の調整を所定の短距離領域内に制限する撮影制御部と備えたことを特徴とする撮影装置。
【請求項５】
撮影操作に応じて被写体の写真撮影を行なう撮影装置において、
撮影制限を指示する情報を無線で受信する受信機と、
撮影時に被写体の明るさを補う光を発する発光部と、
前記発光部による発光のオン・オフを切り替える発光切替部と、
前記受信機により前記情報が受信された場合に前記発光部による発光のない撮影を禁止する撮影制御部とを備えたことを特徴とする撮影装置。
【請求項６】
前記撮影制御部は、前記撮影制限条件を満足したことを受けて撮影を禁止するものであることを特徴とする請求項１から３のうちのいずれか１項記載の撮影装置。
【請求項７】
前記撮影制御部は、前記撮影制限条件を満足した状態における撮影により得られた画像を消去することにより撮影を制限するものであることを特徴とする請求項１から３のうちのいずれか１項記載の撮影装置。
【発明の詳細な説明】
【技術分野】
【０００１】
本発明は、撮影操作に応じて被写体の写真撮影を行なう撮影装置に関する。
【背景技術】
【０００２】
デジタルカメラの小型化やカメラ付き携帯電話機の普及に伴い、悪質な盗撮が増加し始めている。携帯電話機にあっては一人に一台の割で急速に普及しており、特に電話をしなくてもゲームやメール等を楽しむことができるため、その携帯電話機がカメラ付きであった場合にはどのような場所においても盗撮が可能な状況となってきている。
【０００３】
そこで、無断で撮影が行なわれていることを被写体となっている相手に通知する手段を備えたカメラ付き携帯電話機等が提案されている（例えば特許文献１、特許文献２参照）。特許文献１のものは、撮影時に発信信号を発信する発信機およびその発信機から発信された発信信号を受信する受信機との双方をカメラ付き携帯電話機に載せておいて撮影時にその発信機から送信されてきた発信信号を被写体側の携帯電話機側の受信機で受信した場合には撮影拒否信号を撮影側の携帯電話機に送り返して撮影側の携帯電話機の撮影機能を無効にするというものである。
【０００４】
また、特許文献２のものは撮影状態になっていることを知らせる信号を発信する発信機と、その信号を受信すると受信した旨を周囲に報ずる受信機とを用意しておき、受信機を持っている人に盗撮の危険が迫っていることを知らせようというものである。
【０００５】
さらに上記のように人を撮影するだけでなく、カメラ付き携帯電話機を携帯したまま、美術館や博物館等の施設に入場した人達によって展示されている絵画などの盗撮が行なわれる場合もあるので、施設内に撮影制限を加えるための撮影制限信号を送信する送信装置を配備しておいて、美術館や博物館などにおいての盗撮を禁止する技術も提案されている（例えば特許文献３、特許文献４参照）。
【０００６】
しかしながら、最近では何気なく足を踏み入れるようなところでの盗撮が多発しており、例えば歩道橋で階下から前方にいる女子高生のスカート内を撮影するであるとか、書店で購入しようとしている本の中身を１ページづつ盗撮するであるとか、混雑している電車内において女性のスカート内に携帯電話機を忍ばせて撮影を行なうといったような悪質な手口が増加しつつある。
【０００７】
また、カメラ付き携帯電話機に限らず、高いズーム倍率を持つデジタルカメラが販売され始めたため、遠方からの盗撮が容易になり、また高感度モードが用意されたカメラでは補助光を発光することなしに暗がりから室内を盗撮することが可能な状況となってきている。
【特許文献１】特開２００４−８８２７３号公報
【特許文献２】特開２００４−２３６９２号公報
【特許文献３】特開平１１−２６１６７４号公報
【特許文献４】特開２００３−１６３８２２号公報
【発明の開示】
【発明が解決しようとする課題】
【０００８】
本発明は、上記事情に鑑み、悪質な手口となった盗み撮りを防止する盗撮防止機能を備えた撮影装置を提供することを目的とする。
【課題を解決するための手段】
【０００９】
上記目的を達成する本発明の第１の撮影装置は、撮影操作に応じて被写体の写真撮影を行なう撮影装置において、
撮影制限を指示する情報を無線で受信する受信機と、
この撮影装置の姿勢を検出する姿勢センサと、
上記受信機により上記情報が受信されかつ上記姿勢センサにより所定の姿勢が検出された撮影制限条件を満足したことを受けて撮影を制限する撮影制御部と備えたことを特徴とする。
【００１０】
例えば撮影制限を指示する情報を無線で送信する送信装置を歩道橋付近に設けておき、上記所定の姿勢を上向きの姿勢としておけば、上記本発明の第１の撮影装置を構えて階段の階下からスカート内を撮影しようとしたときに、上記受信機により上記送信装置からの情報が受信されかつ上記姿勢センサにより所定の上向き姿勢が検出された撮影制限条件を満足したことを受けて上記撮影制限制御部によってこの第１の撮影装置による撮影が制限される。
【００１１】
また、電車の車内に撮影制限情報を送信する送信機を設けておき上記所定の姿勢を上向きの姿勢としておけば、混雑している電車内において女性のスカート内に携帯電話機を忍ばせて上向き撮影を行なおうとしたときに、上記受信機により上記送信機からの情報が受信されかつ上記姿勢センサにより上向きの姿勢が検出された撮影制限条件を満足したことを受けて上記撮影制御部によってこの第１の撮影装置による撮影が制限される。
【００１２】
さらに書店内に撮影制限情報を送信する送信機を設けておき上記所定の姿勢を下向きの姿勢としておけば、書店内で下向き撮影を行なおうとしたときに、上記受信機により上記送信機からの情報が受信されかつ上記姿勢センサにより下向きの姿勢が検出された撮影制限条件を満足したことを受けて上記撮影制御部によってこの第１の撮影装置による撮影が制限される。
【００１３】
このように階段の階下にいて階上にいる女子高生のスカート内を盗撮しようとしたときや混雑した電車の中などで女性のスカート内の盗撮を行なおうとしたとき、さらに書店で本の中身の盗撮を行なおうとしたときに上記撮影制限条件を満足したことを受けてこの第１の撮影装置での撮影を制限することで盗撮を防止することができる。
【００１４】
上記目的を達成する本発明の第２の撮影装置は、撮影操作に応じて被写体の写真撮影を行なう撮影装置において、
撮影制限を指示する情報を無線で受信する受信機と、
被写界の明るさを検出する測光センサと、
上記受信機により上記情報が受信されかつ上記測光センサにより所定の明るさ以下の明るさが検出された撮影制限条件を満足したことを受けて、撮影を制限する撮影制限制御部と備えたことを特徴とする。
【００１５】
上記本発明の第２の撮影装置によれば、撮影制限を指示する情報を無線で送信する送信装置を設けておけば、この第２の撮影装置を構えて例えば混雑した電車内で女性のスカート内を撮影しようとしたときに、上記受信機によりその情報が受信されかつ上記測光センサにより所定の明るさ以下の明るさが検出された撮影制限条件を満足したことを受けて上記撮影制限制御部によってこの第２の撮影装置による撮影が制限される。
【００１６】
このように混雑に紛れて女性のスカート内を盗撮しようとしたときに上記撮影制限条件を満足したことを受けてこの第２の撮影装置での撮影を制限することで盗撮を防止することができる。
【００１７】
上記目的を達成する本発明の第３の撮影装置は、撮影操作に応じて被写体の写真撮影を行なう撮影装置において、
撮影制限を指示する情報を無線で受信する受信機と、
被写界の明るさを検出する第１の測光センサと、
この撮影装置が置かれた環境の明るさを検出する第２の測光センサと、
上記受信機により上記情報が受信されかつ上記第１の測光センサで所定の第１の明るさ以上の明るさが検出され、さらに上記第２の測光センサで所定の第２の明るさ以下の明るさが検出された撮影制限条件を満足したことを受けて、撮影を制限する撮影制御部と備えたことを特徴とする。
【００１８】
上記本発明の第３の撮影装置によれば、例えば撮影制限を指示する情報を無線で送信する送信装置を設けておけば、この第４の撮影装置を構えて例えば明るい浴室内を暗がりから撮影しようとしたときに、上記受信機で上記送信機からの情報が受信された撮影制限条件を満足したことを受けて上記撮影制御部によってこの第３の撮影装置による撮影が制限される。
【００１９】
このように暗がりから明るい浴室内をこの第３の撮影装置で盗撮しようとしたときに上記撮影制限条件を満足したことを受けてこの第３の撮影装置での撮影を制限することで盗撮を防止することができる。
【００２０】
上記目的を達成する本発明の第４の撮影装置は、撮影操作に応じて被写体の写真撮影を行なう撮影装置において、
撮影制限を指示する情報を無線で受信する受信機と、
焦点距離可変な撮影レンズと、
上記ズームレンズを駆動してその撮影レンズの焦点距離を調整するレンズ駆動部と、
上記受信機により前記情報が受信された場合に上記レンズ駆動部による上記撮影レンズの焦点距離の調整を所定の短距離領域内に制限する撮影制御部と備えたことを特徴とする。
【００２１】
上記本発明の第４の撮影装置によれば、例えば撮影制限を指示する情報を無線で送信する送信装置を設けておけば、この第４の撮影装置を構えて例えば明るい浴室内を暗がりから撮影しようとしたときに、上記受信機で上記送信機からの情報が受信された撮影制限条件を満足したことを受けて上記撮影制御部によってこの第４の撮影装置の焦点距離が短距離領域内に制限される。
【００２２】
このようにズーム倍率を上げて暗がりから明るい浴室内をこの第４の撮影装置により盗撮しようとたときに上記撮影制限条件を満足したことを受けてこの撮影装置が持つズーム倍率つまり焦点距離を短距離領域内に固定することで上記第４の撮影装置での盗撮を防止することができる。
【００２３】
上記目的を達成する本発明の第５の撮影装置は、撮影操作に応じて被写体の写真撮影を行なう撮影装置において、
撮影制限を指示する情報を無線で受信する受信機と、
撮影時に被写体の明るさを補う光を発する発光部と、
上記発光部による発光のオン・オフを切り替える発光切替部と、
上記受信機により前記情報が受信された場合に前記発光部による発光のない撮影を禁止する撮影制御部とを備えたことを特徴とする。
【００２４】
上記第５の撮影装置によれば、例えば撮影制限を指示する情報を無線で送信する送信装置を設けておけば、この第４の撮影装置を構えて例えば明るい浴室内を暗がりから撮影しようとしたときに、上記受信機で上記送信機からの情報が受信された撮影制限条件を満足したことを受けて上記撮影制御部によってこの第５の撮影装置による発光のない撮影が禁止される。
【００２５】
このようにこの第５の撮影装置を高感度モードにして暗がりから明るい浴室内を盗撮しようとしたときに上記撮影制限条件を満足したことを受けてこの第５の撮影装置での発光のない撮影を禁止することで盗撮を防止することができる。
【００２６】
ここで、上記撮影制御部は、上記機撮影制限条件を満足したことを受けて撮影を禁止するものであっても、上記機撮影制限条件を満足した状態における撮影により得られた画像を消去することにより撮影を制限するものであっても良い。
【発明の効果】
【００２７】
以上、説明したように、悪質な手口となった盗み撮りを防止する盗撮防止機能を備えた撮影装置が実現される。
【発明を実施するための最良の形態】
【００２８】
以下、本発明の実施の形態について説明する。
【００２９】
図１は、本発明の第１の実施形態である撮影装置１の構成を示す図である。
【００３０】
図１に示す撮影装置１例えばデジタルカメラやカメラ付き携帯電話機の動作は、撮影制御部１０によって統括的に制御される。この撮影制御部１０は撮影制御部１０内に格納されているプログラムの手順にしたがって各部の動作を制御する。
【００３１】
まず、この撮影装置１の構成を説明する。
【００３２】
図１に示すように撮影光学系１１とその撮影光学系１１で被写体３を結像させる撮像素子１２（ここではＣＣＤ固体撮像素子が用いられているので以降ＣＣＤという）とが備えられている。またそのＣＣＤ１２で生成された画像信号が記録されるメモリ１３やファインダ代わりにもなる表示部１４や警告音を発する警告部１５が備えられており、ＣＣＤ１２、メモリ１３、表示部１４並びに警告部１５の動作が上記撮影制御部１０により制御される。さらに、本発明の課題を達成するための盗撮防止機能を果たす姿勢センサ１６と受信機１７とが備えられている。なお、警告部１５は盗撮を警告するための音を発生するものとしても用いられる。
【００３３】
ここで、この撮影装置１の受信機１７により撮影制限情報を受信することができる位置に撮影制限情報送信装置２が配備されているとものとして以降どのようにして盗撮が防止されるかを説明する。
【００３４】
例えば、駅構内の階段付近であるとか、歩道橋付近であるとかに上記撮影制限情報送信装置２が配備されていたとすると、上記撮影装置１を構えて階段の階下から被写体３である女性のスカート内を撮影しようとしたときにこの撮影装置１の受信機１７により上記撮影制限情報送信部２から送信されてきた情報が受信されかつ上記姿勢センサ１６により所定の姿勢例えば撮影装置１が上向きであることが検出された撮影制限条件を満足したことを受けて上記撮影制限制御部１０によってこの撮影装置１による撮影が制限される。つまり、この撮影装置１を上向きに構える、もしくは鏡などに反射させて盗撮を行なうためにこの撮影装置１を下向きに構えるという不自然な構えで撮影が行なわれようとしているところに上記撮影制限情報２が送信されてきた場合には、上記撮影制限制御部１０によってこの撮影装置１での撮影が制限される。
【００３５】
この第１の実施形態の撮影装置１では撮影制限として撮影制御部１０からＣＣＤ１２に供給される露光開始信号の供給を取り止める処理を行なうことによって撮影を禁止して盗撮を防止するようにしている。さらに第１の実施形態の撮影装置は警告部を備えたものでもあるので、加えて盗撮が行なわれたときに上記警告部１５から音声を発するようなことを行なって盗撮を行なうことを周囲に報じるようにしておくと、盗撮防止効果が一段と強まる。
【００３６】
このようにすると、撮影制限条件を満足したことを以ってこの撮影装置での撮影自体が禁止され盗撮が確実に防止される。
【００３７】
また、撮影制限情報送信装置２を、電車の車内に配備しても良い。
【００３８】
そうすると混雑している電車内において女性のスカート内に携帯電話機を忍ばせて撮影を行なおうとしたときに、撮影装置１の受信機１７により上記撮影制限送信装置２からの撮影制限情報が受信されかつ姿勢センサ１６により所定の姿勢が検出された撮影制限条件を満足したことを受けて上記撮影制限制御部１０によってこの撮影装置１による撮影が制限される。
【００３９】
さらに撮影制限情報送信装置２を書店内に配備しても良い。
【００４０】
そうすると、例えば上記所定の姿勢を下向きの姿勢としておいて書店内で下向き撮影を行なおうとしたときに、受信機１７により撮影制限情報送信装置２からの情報が受信されかつ姿勢センサ１６により下向きの姿勢が検出された撮影制限条件を満足したことを受けて撮影制御部１０によってこの第１の撮影装置１による撮影が制限される。
【００４１】
このように撮影制限情報装置２が配備されている場所であればどのような場所においても上記撮影制限条件を満足したことを受けてこの撮影装置１での撮影が制限され盗撮が確実に防止される。
【００４２】
なお、上記実施形態では、撮影制限として撮影禁止処理を行なっているが、撮影が行なわれた後、つまりメモリ１３などに画像信号が記録された後、撮影制御部１０がその画像信号を消去して撮影制限を加えるようなことを行なっても良い。
【００４３】
このようにして盗撮防止機能を備えた撮影装置、つまりカメラ付き携帯電話機やデジタルカメラが実現される。
【００４４】
図２は、第２の実施形態である撮影装置１ａを示す図である。
【００４５】
第１の実施形態では、姿勢センサ１６により盗撮時における撮影装置１の不自然な姿勢を検出するようにしたが、第２の実施形態の撮影装置１ａでは、撮影光学系１１ａ近傍に集光レンズ１８０ａと測光センサ１８ａとを設けた例を掲げている。
【００４６】
この第２の実施形態では、例えば混雑した電車内でこの撮影装置１ａを構えて女性のスカート内を撮影しようとしたときに、受信機１７ａにより上記撮影制限情報送信装置２からの撮影制限情報が受信されかつ測光センサ１８ａにより所定の明るさ以下の明るさが検出された撮影制限条件を満足したことを受けて上記撮影制御部１０ａによって撮影装置１ａによる撮影が制限される。
【００４７】
このようにしても上記撮影制限条件を満足したことを受けてこの撮影装置１ｂでの撮影が制限され盗撮が防止される。
【００４８】
図３は、第３の実施形態である撮影装置１ｂを示す図である。
【００４９】
図３に示す撮影装置には、図２の撮影装置１ａに加えてこの撮影装置１ｂが置かれた環境の明るさを検出することができるように第２の測光センサ１９ｂとその第２の測光センサ１９ｂに光を集光する集光センサ１９０ｂとが付加されている。
【００５０】
そうすると、撮影装置１ｂ内の受信機１７ｂにより上記撮影制限情報送信装置２からの撮影制限情報が受信されかつ第１の測光センサ１８ｂで所定の第１の明るさ以上の明るさが検出され、さらに第２の測光センサ１９ｂで所定の第２の明るさ以下の明るさが検出された撮影制限条件を満足したことを受けて撮影制御部１０ｂによって撮影が制限される。
【００５１】
上記撮影制限条件を満足する場合としては、暗がりから明るい室内例えば浴室などを盗撮しようとしている場合などがあり、そのような場合にこの撮影装置１ｂでの撮影が制限され盗撮が防止される。
【００５２】
図４は第４の実施形態である撮影装置１ｃを示す図である。
【００５３】
図４には撮影レンズ１１ｃの中に焦点距離可変な撮影レンズ１１１ｃとその焦点距離可変な撮影レンズ１１１ｃを駆動してその撮影レンズ１１１ｃの焦点距離を調整するレンズ駆動部１００ｃを設けた例が示されている。
【００５４】
この例では受信機１７ｃにより上記撮影制限情報送信装置２からの情報が受信された場合にレンズ駆動部１００ｃによる撮影レンズ１１１ｃの焦点距離の調整が所定の短距離領域内に制限される。
【００５５】
このようにすると、上記撮影装置１ｃを構えて例えば明るい浴室内を遠方の暗がりから望遠で撮影しようとしてもズーム倍率が所定の短距離領域内に制限されてしまうため、撮影を行なったとしても低倍率での撮影となって盗撮が防止されたのと同様の効果が得られる。
【００５６】
図５は第５の実施形態である撮影装置１ｄを示す図である。
【００５７】
図５には、撮影時に被写体の明るさを補う光を発する発光部１０１ｄと、上記発光部１０１による発光のオン・オフを切り替える発光切替部１０２ｄとを備えた撮影装置１ｄの構成が示されている。
【００５８】
この例では受信機１７ｄにより上記撮影制限情報送信装置２からの情報が受信された場合に上記発光切替部１０２ｄがオフ側に切り替えられていて発光部１０１ｄによる発光がオフされて撮影が行なわれようとしているときには撮影が禁止される。
【００５９】
そうすると、高感度モードにして発光なしで暗がりから明るい室内を盗撮しようとしている場合などに、発光のない撮影が禁止され盗撮が防止される。
【００６０】
以上説明したように、悪質な手口となった盗み撮りを防止する盗撮防止機能を備えた撮影装置が実現される。
【図面の簡単な説明】
【００６１】
【図１】本発明の第１の実施形態である撮影装置１の構成を示す図である。
【図２】第２の実施形態である撮影装置１ａを示す図である。
【図３】第３の実施形態である撮影装置１ｂを示す図である。
【図４】第４の実施形態である撮影装置１ｃを示す図である。
【図５】第５の実施形態である撮影装置１ｄを示す図である。
【符号の説明】
【００６２】
１    デジタルカメラ
１０    撮影制御部
１００    レンズ駆動部
１１    撮影光学系
１１１    焦点距離可変な撮影レンズ
１２      撮像素子（ＣＣＤ）
１３    メモリ
１４    表示部
１５    警告部
１６    姿勢センサ
１７    受信機
１８    第1の測光センサ
１８ａ    集光レンズ
１９    第2の測光センサ
１９ａ  集光レンズ
２    撮影制限情報送信装置
３    被写体
【図１】
2006191380.tif 000003
【図２】
2006191380.tif 000004
【図３】
2006191380.tif 000005
【図４】
2006191380.tif 000006
【図５】
2006191380.tif 000007